(57)【要約】  農業管理材料を標的領域に散布するための装置および方法。例示的な農業管理材料は、粘性材料を含む。本発明は、農業管理材料を送達するための方法および装置、特に粘性のある有害生物防除材料を、農作物、植物、構造物およびそれらの近くの基材の１つまたは複数を含む標的基材に送達するための方法および装置に関する。
2016502855.tif 000002
【特許請求の範囲】
【請求項１】
粘性農業管理材料を標的領域に散布する方法であって、
所定量の粘性農業管理材料を容器から流体導管の試料充てん部の中に分配するステップであって、前記試料充てん部は、一端において前記流体導管内に配置されたプランジャの第１の部位によって境界を定められる、前記ステップと、
前記所定量の粘性農業管理材料を前記プランジャの前記第１の部位と直接接触させるステップと、
前記プランジャの第２の部位に対して増加される流体圧力によって、前記プランジャを第１の位置から第２の位置へ移動させるステップと、
前記所定量の粘性農業管理材料を、前記プランジャの前記第１の位置から前記第２の位置への前記移動によって前記流体導管から噴出させるステップと
を含む方法。
【請求項２】
前記所定量の粘性農業管理材料を前記プランジャの前記第１の部位と直接接触させる前記ステップが、前記分配するステップの間に行われる、請求項１に記載の方法。
【請求項３】
前記所定量の粘性農業管理材料を前記プランジャの前記第１の部位と直接接触させる前記ステップが、前記移動させるステップの間に行われる、請求項１に記載の方法。
【請求項４】
加圧供給源と、前記プランジャの前記第２の部位と連通する流体チャンバとの間を流体接続する形で配置され、前記試料充てん部から間隔を置いて配置された弁を開くステップをさらに含み、前記弁を開くことによって、加圧流体を前記プランジャの前記第２の部位に接触させ、前記プランジャを前記第１の位置から前記第２の位置へ移動させる、請求項１に記載の方法。
【請求項５】
前記弁が、少なくとも１つの制御装置からの信号に応答して開かれる、請求項４に記載の方法。
【請求項６】
前記所定量の粘性農業管理材料を、少なくとも１つの制御装置からの信号に応答して前記容器から前記試料充てん部の中に分配するステップをさらに含む、請求項１に記載の方法。
【請求項７】
付勢されたばねを用いて、前記プランジャを前記第２の位置から前記第１の位置へ移動させるステップをさらに含む、請求項１に記載の方法。
【請求項８】
前記所定量の粘性農業管理材料の経路を、それが送達安定化装置を有するデバイスから噴出されるときに安定化するステップをさらに含む、請求項１に記載の方法。
【請求項９】
粘性農業管理材料用の標的材料散布デバイスであって、
ハウジングと、
所定量の前記粘性農業管理材料を受けるように構成された試料充てん部を有する、前記ハウジング内に設けられた流体導管と、
前記流体導管に受け入れられ、前記流体導管の前記試料充てん部の境界を定める第１の部位および前記ハウジング内の流体チャンバと流体連通する第２の部位を含む、前記ハウジング内に設けられ、第１の位置と第２の位置との間で移動可能であるプランジャと、
前記プランジャを前記第１の位置に向かって付勢する、前記ハウジング内に設けられた付勢部材と
を備え、前記プランジャが、前記流体チャンバ内の流体の増加に応答して前記第１の位置に向かって動かされ、それにより、前記所定量の粘性農業管理材料を前記流体導管から噴出させるデバイス。
【請求項１０】
加圧流体源を前記流体チャンバに選択的に連結する弁であって、前記弁が開いたとき、前記加圧流体源からの加圧流体が前記流体チャンバに入り、前記プランジャを前記第１の位置から前記第２の位置へ移動させるように構成された前記弁をさらに備える、請求項９に記載のデバイス。
【請求項１１】
前記加圧流体源が圧縮空気源である、請求項１０に記載のデバイス。
【請求項１２】
前記所定量の粘性農業管理材料の経路を、前記農業管理材料が前記デバイスから噴出されるときに安定化するように構成された送達安定化装置をさらに備える、請求項９に記載のデバイス。
【請求項１３】
前記粘性農業管理材料の供給源を含み、前記流体導管の前記試料充てん部と流体連通する容器と、
前記所定量の前記粘性農業管理材料を、前記容器から前記流体導管の前記試料充てん部に提供するディスペンサと、
加圧流体源と、
前記加圧流体源からの加圧流体が前記流体チャンバと連通しない閉位置、および前記加圧流体源からの前記加圧流体が前記流体チャンバと連通する開位置を有する弁と
をさらに備える、請求項９に記載のデバイス。
【請求項１４】
少なくとも１つの制御装置をさらに備え、前記弁が、前記少なくとも１つの制御装置からの流体信号に応答して位置を変える、請求項１３に記載のデバイス。
【請求項１５】
前記ディスペンサが、前記少なくとも１つの制御装置からの信号に応答して、前記所定量の粘性農業管理材料を前記容器から前記試料充てん部の中に提供する、請求項１４に記載のデバイス。
【請求項１６】
少なくとも１つの制御装置をさらに備え、前記ディスペンサが、前記少なくとも１つの制御装置からの信号に応答して、前記所定量の粘性農業管理材料を前記容器から前記試料充てん部の中に提供する、請求項１３に記載のデバイス。
【請求項１７】
前記粘性農業管理材料が、約２Ｐａ・ｓ（約２，０００ｃＰ）〜約６３Ｐａ・ｓ（約６３，０００ｃＰ）の粘度を有する、請求項９に記載のデバイス。
【請求項１８】
前記粘性農業管理材料が、約１Ｐａ・ｓ（約１，０００ｃＰ）〜約７５Ｐａ・ｓ（約７５，０００ｃＰ）の粘度を有する、請求項９に記載のデバイス。
【発明の詳細な説明】
【技術分野】
【０００１】
関連出願
本願は、参照によってその開示が本明細書に明確に組み込まれる、「ＡＰＰＬＩＣＡＴＩＯＮ  ＤＥＶＩＣＥ  ＤＥＳＩＧＮＳ  ＦＯＲ  ＡＰＰＬＹＩＮＧ  ＡＧＲＩＣＵＬＴＵＲＡＬ  ＭＡＮＡＧＥＭＥＮＴ  ＭＡＴＥＲＩＡＬＳ  ＴＯ  ＴＡＲＧＥＴＥＤ  ＳＵＢＳＴＲＡＴＥＳ」という名称の２０１３年３月１４日出願の米国特許出願第１３／８０３，９７０号、および「ＡＰＰＬＩＣＡＴＩＯＮ  ＤＥＶＩＣＥ  ＤＥＳＩＧＮＳ  ＦＯＲ  ＡＰＰＬＹＩＮＧ  ＡＧＲＩＣＵＬＴＵＲＡＬ  ＭＡＮＡＧＥＭＥＮＴ  ＭＡＴＥＲＩＡＬＳ  ＴＯ  ＴＡＲＧＥＴＥＤ  ＳＵＢＳＴＲＡＴＥＳ」という名称の２０１２年１２月１９日出願の米国仮特許出願第６１／７３９，６０５号（整理番号ＤＡＳ−０２８５−０１−ＵＳ−Ｅ）に関連する。
【０００２】
本願は、参照によってその開示が本明細書に明確に組み込まれる、「ＡＵＴＯＭＡＴＥＤ  ＤＥＶＩＣＥ  ＦＯＲ  ＴＨＥ  ＡＰＰＬＩＣＡＴＩＯＮ  ＯＦ  ＡＧＲＩＣＵＬＴＵＲＡＬ  ＭＡＮＡＧＥＭＥＮＴ  ＭＡＴＥＲＩＡＬＳ」という名称の２０１２年１２月１９日出願の米国仮特許出願第６１／７３９，５８９号（整理番号ＤＡＳ−０２８４−０１−ＵＳ−Ｅ）、「ＭＥＣＨＡＮＩＣＡＬ  ＡＰＰＬＩＣＡＴＯＲ  ＦＯＲ  ＡＧＲＩＣＵＬＴＵＲＡＬ  ＭＡＮＡＧＥＭＥＮＴ  ＭＡＴＥＲＩＡＬＳ」という名称の２０１２年１２月１９日出願の米国仮特許出願第６１／７３９，５８１号（整理番号ＤＡＳ−０２９０−０１−ＵＳ−Ｅ）、および「ＥＱＵＩＰＭＥＮＴ  ＤＥＳＩＧＮＳ  ＦＯＲ  ＡＰＰＬＹＩＮＧ  ＡＧＲＩＣＵＬＴＵＲＡＬ  ＭＡＮＡＧＥＭＥＮＴ  ＭＡＴＥＲＩＡＬＳ」という名称の２０１２年１２月１９日出願の米国仮特許出願第６１／７３９，５９９号（整理番号ＤＡＳ−０２８９−０１−ＵＳ−Ｅ）に関連する。
【０００３】
本発明は、農業管理材料（agricultural management material）を送達するための方法および装置に関し、詳細には、農作物、植物、構造物およびそれらの近くにある基材のうちの１つまたは複数を含む標的基材に、粘性のある有害生物防除材料を送達するための方法および装置に関する。
【背景技術】
【０００４】
農業地域において有害生物の防除または管理を行うために、果樹園、木立、栽培場、ぶどう園などの農業環境および周辺領域に、フェロモンおよび殺虫剤を送達するための特化した担体として、粘性材料が用いられる。従来の有害生物防除材料はしばしば、水で希釈され、圧力下で作物または他の植物基材に噴霧される。しかしながら、これは、より粘度の高い材料、水中で混和できない材料、または標的基材上に離散的、局所的な付着物としてとどまることが意図される材料のための選択肢ではない。有害生物防除の場合など、標的植物に対する高レベルの製品の付着、標的植物に対する離散的もしくは局所的な材料の制御された付着、または両方をもたらす、きわめて粘度の高い材料を散布するための方法および装置が望まれている。
【発明の概要】
【課題を解決するための手段】
【０００５】
例示的な一実施形態では、粘性農業管理材料を標的領域に散布する方法が提供される。方法は、所定量の粘性農業管理材料を、容器から流体導管の試料充てん部の中に分配するステップであって、試料充てん部は、一端において流体導管内に配置されたプランジャの第１の部位によって境界を定められる、ステップと、当該所定量の粘性農業管理材料をプランジャの第１の部位と直接接触させるステップと、プランジャの第２の部位に対して増加される流体圧力によって、プランジャを第１の位置から第２の位置へ移動させるステップと、および当該所定量の粘性農業管理材料を、プランジャの第１の位置から第２の位置への移動によって流体導管から噴出させるステップとを含む。
【０００６】
他の例示的な実施形態では、粘性農業管理材料用の標的材料散布デバイスが提供される。標的材料散布デバイスは、ハウジングと、所定量の粘性農業管理材料を受けるように構成された試料充てん部を有する、ハウジング内に設けられた流体導管と、流体導管に受け入れられ、流体導管の試料充てん部の境界を定める第１の部位およびハウジング内の流体チャンバと流体連通する第２の部位を含む、ハウジング内に設けられ、第１の位置と第２の位置との間で移動可能であるプランジャと、プランジャを第１の位置に向かって付勢する、ハウジング内に設けられた付勢部材とを備え、プランジャは、流体チャンバ内の流体の増加に応答して第１の位置に向かって動かされ、それにより、当該所定量の粘性農業管理材料を流体導管から噴出させる。
【０００７】
添付図面に関連して取り上げられる本発明の実施形態に関する以下の説明を参照することにより、本発明のこれまでに言及した特徴および他の特徴、ならびにそれらを得る方法がより明確になり、本発明自体がより適切に理解されるであろう。
【図面の簡単な説明】
【０００８】
【図１】本開示による標的散布デバイスの例示的な実施形態を示す図である。
【図２Ａ】所定量の材料が図１の標的散布デバイスから噴出されることを示す図である。
【図２Ｂ】所定量の材料が図１の標的散布デバイスから噴出されることを示す図である。
【図２Ｃ】所定量の材料が図１の標的散布デバイスから噴出されることを示す図である。
【図３】本開示による標的散布デバイスの他の例示的な実施形態を示す図である。
【図４】ハウジングの外面を透過的に示した、図３の標的散布デバイスの斜視図である。
【発明を実施するための形態】
【０００９】
以下に開示される実施形態は、網羅的なものでも、本発明を以下の詳細な説明において開示される精確な形態に限定するものでもない。むしろ、実施形態は、当業者がそれらの教示を利用することができるように選択され記載される。本開示は、主に農業基材または他の植物基材に粘性材料を散布することを対象にしているが、本明細書に開示される特徴は、他の材料の他の標的への散布および送達にも当てはまる場合があることを理解すべきである。
【００１０】
図１は、標的散布デバイス１０の例示的な実施形態を図示している。材料送達デバイス１０は、所定量の粘性のある有害生物防除材料を標的領域に送達するために、流体導管の出口ノズル１６と流体連通した試料充てん部５０を有する流体導管を含む。当該所定量の粘性材料は、圧縮空気など、所定量の加圧流体によって駆動されるプランジャ５６の移動によって、標的散布デバイス１０の出口ノズル１６から押し出される。
【００１１】
一実施形態において、標的散布デバイス１０は、粘性材料などの農業管理材料を標的基材に散布する。例示的な農業管理材料は、病虫害防除剤、殺虫剤、フェロモン、または標的に対する他の適切な粘性材料を含む。適切な標的基材は、木、葉、蔓、茎、ならびに他の適切な植生基材および植物基材を含む。他の適切な標的基材は、柵の支柱、または畑、果樹園、栽培場もしくは木立のまわりの他の構造物など、植物あるいは作物に近い領域内の非植物材料を含む。いくつかの実施形態では、標的散布デバイス１０は、地面のような標的でない場所に至る粘性材料の量を減少させ、粘性材料の使用をより効率的にする。
【００１２】
一実施形態において、本開示は、粘性農業管理材料を散布することを対象にしている。粘度は、剪断応力または引張応力によって変形する流体の抵抗の尺度である。より高い粘度を有する流体は、より大きい「厚さ」または「内部摩擦」を有するものとして観察され、より低い粘度を有する流体は、移動がより容易であるか、またはより大きい流動性を有するものとして観察される。一実施形態において、粘性材料は、約１Ｐａ・ｓ（約１，０００ｃＰ）、約２Ｐａ・ｓ（約２，０００ｃＰ）もしくは約２．２Ｐａ・ｓ（約２，２００ｃＰ）の低い粘度、または約６３Ｐａ・ｓ（約６３，０００ｃＰ）、約６５Ｐａ・ｓ（約６５，０００）もしくは約７５Ｐａ・ｓ（約７５，０００ｃＰ）の高い粘度、または前述の値の任意の対の間で定められる任意の範囲内の粘度を有する材料を含む。粘度を測定する例示的な方法は、Ｂｒｏｏｋｆｉｅｌｄ  Ｅｎｇｉｎｅｅｒｉｎｇ  Ｌａｂｏｒａｔｏｒｉｅｓ，Ｉｎｃ．（マサチューセッツ州ミドルバラ）から入手可能なＢｒｏｏｋｆｉｅｌｄ  ＤＶＩ粘度計を用いることを含む。例示的な試験条件は、Ｂｒｏｏｋｆｉｅｌｄ  ＤＶＩ粘度計を＃６または＃７スピンドルおよび１００ｒｐｍのスピンドル速度で用い、２１℃における粘度を測定することを含む。
【００１３】
標的散布デバイス１０は、標的散布デバイス１０によって散布される粘性材料を含む粘性材料源３０、および加圧流体のバーストを供給してプランジャ５６を駆動し、標的送達デバイス１０から出口ノズル１６を通して粘性材料を噴出させる加圧流体源２６をさらに含む。一実施形態において、加圧流体源２６は、空気圧縮機、加圧された空気、窒素または他の適切な気体もしくは蒸気のキャニスタ、あるいは水または他の適切な液体の加圧供給源、あるいはそれらの混合物などの圧縮ガス源である。
【００１４】
粘性材料源３０は、標的散布デバイス１０内の試料充てん部５０に流体接続される。例示的な一実施形態では、粘性材料ディスペンサ３１が、粘性材料を試料充てん部５０の中に分配する。例示的な粘性材料ディスペンサは、ポンプおよび他の適切なディスペンサを含む。一例では、既定量の粘性材料を試料充てん部５０の中に分配するように、制御装置６６が粘性材料ディスペンサ３１を制御する。
【００１５】
試料充てん部５０の一端は、プランジャ５６によって境界を定められる。プランジャ５６は、試料充てん部５０内の試料と直接接触する部位５２、および流体チャンバ５８と接触する部位を含む。プランジャ５６の出口ノズル１６に向かう動きによって、試料充てん部５０内の所定量の粘性材料を、出口ノズル１６を通して標的散布デバイス１０から噴出させる（図２Ａ〜図２Ｃ参照）。
【００１６】
加圧流体源２６は、流体チャンバ５８に流体接続される。一実施形態では、制御装置６６が弁５９を開き、加圧流体が流体チャンバ５８に入ることが可能になる。例示的な一実施形態では、トリガ６０が弁５９に連結され、トリガ６０を押し下げると弁５９が開く。弁５９が開いたとき、加圧流体が流体チャンバ５８に入り、プランジャ５６を前方に押しやり、粘性材料を試料充てん部５０から出口ノズル１６を通して噴出させる。所定時間が経過した後、制御装置６６が弁５９を閉じ、加圧流体が排出装置６８を通して放出される。次いで、プランジャ５６が、ばね６４によって加えられる力により、移動してその元の位置へ戻る。
【００１７】
次に図２Ａ〜図２Ｃを参照すると、所定量の粘性材料を標的領域に向かって放出する、図１の例示的な標的散布デバイスが図示されている。図示の実施形態では、粘性材料１１は、試料充てん部５０の中に分配された第１の部分１１Ａ、および試料穴４８の中に残る第２の部分１１Ｂを含む。図２Ａに図示するように、弁５９が閉じると、粘性材料ディスペンサ３１は、粘性材料１１を、第１の部分１１Ａが試料充てん部５０の中に配置されるように分配する。既定量の粘性材料１１が分配されると、粘性材料ディスペンサ３１は粘性材料１１の分配を停止し、試料充てん部５０に流体連結された材料穴４８の中に第２の部分１１Ｂを残す。
【００１８】
図２Ｂに図示するように、弁５９が開くと、加圧空気などの加圧流体が流体チャンバ５８を満たし、プランジャ５６と直接接触する。プランジャ５６は、前方に出口ノズル１６に向かって押しやられる。プランジャ５６は、第１の部分１１Ａを第２の部分１１Ｂから分離し、第１の部分１１Ａを出口ノズル１６に向かって押す。図２Ｃに図示するように、第１の部分１１Ａが噴出されると同時に、排出装置６８を開くことによって流体チャンバ５８内の圧力が軽減され、ばね６４がプランジャ５６を動かしてその元の場所へ戻すことが可能になる。
【００１９】
図３は、粘性材料を標的領域に散布するための標的散布デバイス１００の他の例示的な実施形態を図示している。標的散布デバイス１００は、台１１２に取り付けられたハウジング１１０を含む。例示的な実施形態において、ハウジング１１０は、互いに連結された３つの部分１１４、１１６および１１８からなり、３つの部分１１４、１１６、１１８のそれぞれは、アルミニウムから形成される。標的散布デバイス１００は、粘性材料がそれを通して標的領域に向かって噴出される出口ノズル１２０をさらに含む。
【００２０】
図３に図示する例示的な実施形態では、ハウジング１１０は、台１１２の基部１２４の中に回転自在に受け入れられた軸１２２に連結され、標的散布デバイス１００の水平方向の照準を可能にする。ハウジング１１０はまた、台１１２のボルト１３０に枢着され、標的散布デバイス１００の垂直方向の照準を可能にする。
【００２１】
例示的な一実施形態において、使用者は、ハンドル１４０を把持し、標的散布デバイス１００を基部１２４のまわりで水平方向に調整し、標的散布デバイス１００をボルト１３０のまわりで垂直方向に調整して、出口ノズル１２０を、それが標的散布領域に向かって方向付けられるように配置することにより、標的散布デバイス１００の照準を定める。次いで、使用者は、トリガ機構１５０を押し下げ、あるいは作動させ、所定量の粘性材料を標的散布デバイス１００から噴出させる。
【００２２】
図３に図示するように、標的散布デバイス１００は、エアカップリング１６０を介して加圧流体源２６に連結される。例示的な一実施形態において、エアカップリング１６０は、標的散布デバイス１００を加圧流体源２６から分離することを可能にする迅速接続のカップリングである。例示的な実施形態において、加圧流体源２６は、空気圧縮機に取り付けられた可撓性のエアホースを含む。例示的な一実施形態では、トリガ１５０が弁を開き、加圧流体を流体チャンバ１８８に連通させる（図４参照）。
【００２３】
やはり図３に図示するように、標的散布デバイス１００は、第２のカップリング１６２を介して粘性材料源３０に連結される。例示的な一実施形態において、粘性材料源３０は、粘性材料を標的散布デバイス１００に供給する加圧供給源または加圧ディスペンサ３１（図１参照）を含む。例示的な一実施形態において、粘性材料は、標的散布デバイス１００に提供される前にポンプによって加圧される。他の例示的な実施形態において、第２のカップリング１６２は、粘性材料を標的散布デバイス１００に供給するために加圧される、粘性材料源３０などの粘性材料リザーバに流体接続される。例示的な一実施形態において、粘性材料は、ホース１６３を通して試料充てん部１８０に直接供給される（図４参照）。他の例示的な実施形態において、粘性材料は、粘性材料リザーバから、試料充てん部１８０に流体接続された保持チャンバ（図示せず）に供給される。一実施形態において、粘性材料源３０と試料充てん部１８０の間の流体接続は、粘性材料の試料充てん部１８０、保持チャンバまたは両方の中への流れを制御する、１つまたは複数の弁（図示せず）を含む。
【００２４】
図４を参照すると、ハウジング１１０の外面を透過的に示した標的散布デバイス１００の斜視図が示されている。
【００２５】
図４に図示するように、ハンドル取付け部品１７０がハウジング１１２の一端に連結される。ハンドル１４０が、ハンドル取付け部品１７０に連結される。
【００２６】
図示の実施形態では、ハウジング１１２は、第１の部分１１４、第２の部分１１６および第３の部分１１８からなる。第１の部分１１４、第２の部分１１６および第３の部分１１８は、各部分１１４、１１６および１１８を接続するねじ付き陥凹部１７４を通って延びる留め具（図示せず）によって連結される。出口ノズル１２０および前部プレート１７２は、第１の部分１１４のねじ付き陥凹部１７４に対する複数の留め具（図示せず）によって、第１の部分１１４に連結される。
【００２７】
図示の実施形態において、粘性材料源３０は、所定量の粘性材料を材料カップリング１６０を通して材料穴１７８に供給する。材料穴１７８は、試料充てん部１８０に連結される。例示的な一実施形態において、試料充てん部１８０に供給される粘性材料の量は、試料充てん部１８０の大きさに基づく既定の量である。例示的な一実施形態において、試料充てん部１８０に供給される粘性材料の量は、圧力センサまたは流量計などのセンサ（図示せず）によって監視される。いくつかの実施形態において、センサは、試料充てん部１８０に流体接続された保持チャンバ（図示せず）と流体連通する。他の例示的な実施形態において、粘性材料源３０からの粘性材料は、既定量の粘性材料を試料充てん部１８０、保持チャンバまたは両方に送達する蠕動ポンプなどの容積式ポンプを含む、粘性材料ディスペンサ３１（図１を参照）によって供給される。実例として、試料充てん部１８０は、プランジャ１８６が内部で往復運動する通路の円筒形部分の一部である。プランジャ１８６の前面１９０は、試料充てん部１８０の一端の境界を定める。プランジャ１８６の方向１９２における動きによって、試料充てん部１８０内の当該所定量の粘性材料が、送達安定化装置１９４を通り、出口ノズル１２０（図３参照）を通して標的散布デバイス１００から噴出される（図３参照）。
【００２８】
プランジャ１８６は、流体チャンバ１８８の隣に配置される。トリガ機構１５０は、使用者からの入力に応答して、加圧流体源２６と流体チャンバ１８８との間の通路１９６を選択的に開く。例示的な一実施形態では、トリガ機構１５０が押されると、流体チャンバ１８８は迅速に加圧空気で満たされ、プランジャ１８６を前方に方向１９２に押しやり、ばね１９８を圧縮する。次いで、トリガ機構１５０は、解放されると、流体チャンバ１８８と加圧流体源２６との間の通路１９６を閉じ、流体チャンバ１８８内の空気を排出通路（図示せず）を通して放出する。プランジャ１８６の裏面に対する空気の圧力が低下し、プランジャ１８６は、ばね１９８によって加えられる力によって方向１９３に動かされ、その元の位置へ戻される。
【００２９】
プランジャ１８６の方向１９２における前進運動によって、所定量の粘性材料が、試料充てん部１８０から送達安定化装置１９４を通り、出口ノズル１２０を経て外へ標的領域に向かって噴出される。送達安定化装置１９４は、当該所定量の粘性材料に飛行安定性をもたらす働きをする。例示的な一実施形態では、当該所定量の粘性材料が送達安定化装置１９４を通過するとき、粘性材料は、送達安定化装置１９４内の複数の小さいオリフィスまたは管の間で分割され、より安定した飛行経路が得られる。
【００３０】
本発明を例示的な設計に関して記載してきたが、本発明は、本開示の趣旨および範囲の中でさらに変更することが可能である。さらに本願は、本発明が関連する当該分野において周知のまたは慣例的な実施の範囲内である本開示からの逸脱を包含することが意図される。
【符号の説明】
【００３１】
１０  標的散布デバイス、材料送達デバイス、標的送達デバイス
１１  粘性材料
１１Ａ  第１の部分
１１Ｂ  第２の部分
１６  出口ノズル
２６  加圧流体源
３０  粘性材料源
３１  粘性材料ディスペンサ、加圧ディスペンサ
４８  試料穴
５０  試料充てん部
５２  試料と直接接触する部位
５６  プランジャ
５８  流体チャンバ
５９  弁
６０  トリガ
６４  ばね
６６  制御装置
６８  排出装置
１００  標的散布デバイス
１１０  ハウジング
１１２  台
１１４  第１の部分
１１６  第２の部分
１１８  第３の部分
１２０  出口ノズル
１２２  軸
１２４  基部
１３０  ボルト
１４０  ハンドル
１５０  トリガ機構、トリガ
１６０  エアカップリング
１６２  第２のカップリング
１６３  ホース
１７０  ハンドル取付け部品
１７２  前部プレート
１７４  ねじ付き陥凹部
１７８  材料穴
１８０  試料充てん部
１８６  プランジャ
１８８  流体チャンバ
１９０  前面
１９２  方向
１９３  方向
１９４  送達安定化装置
１９６  通路
１９８  ばね
【図１】
2016502855.tif 000003
【図２Ａ】
2016502855.tif 000004
【図２Ｂ】
2016502855.tif 000005
【図２Ｃ】
2016502855.tif 000006
【図３】
2016502855.tif 000007
【図４】
2016502855.tif 000008
【国際調査報告】
2016502855.tif 000009
2016502855.tif 000010